(57)【要約】      （修正有）【課題】傘をさして出かけることのモチベーションを高めてくれる傘を提供する。【解決手段】傘１は、張設状態においてドーム形状をなす傘布１０と、長尺の中空棒状をなし、一端において傘布の中心を支持するとともに、他端に把持部３０を備えるシャフト２０と、シャフトに対して傘布が張設状態と収納状態とになるように傘布を支持する傘骨と、を備える。シャフトは、先端部に発光装置を含む石突２２を備え、把持部は、所定の音を発する発音装置を備える。【選択図】図１
0003229325.tif 000002
【実用新案登録請求の範囲】
【請求項１】
張設状態においてドーム形状をなす傘布と、
長尺の中空棒状をなし、一端において前記傘布の中心を支持するとともに、他端に把持部を備えるシャフトと、
前記シャフトに対して前記傘布が前記張設状態と収納状態とになるように前記傘布を支持する傘骨と、
を備え、
前記シャフトは、その先端部において、光を発することが可能な発光装置を含む石突を備え、
前記把持部は、所定の音を発することが可能な発音装置を備えている、傘。
【請求項２】
前記把持部には、スイッチ部が備えられており、
前記スイッチ部を押下することで、前記発光装置が発光するとともに、前記発音装置が発音し、
前記スイッチ部を再び押下することで、前記発光装置が発光を停止するとともに、前記発音装置が発音を停止する構成を備えている、請求項１に記載の傘。
【請求項３】
前記傘布には、乗物および動物から選択されるいずれか１つの絵柄が施され、
前記発光装置は、選択された前記乗物または前記動物が発する光に模した光を発することができる構成を備え、
前記発音装置は、選択された前記乗物または前記動物が発する音に模した音を発生することができる構成を備えている、請求項１または２に記載の傘。
【請求項４】
前記乗物は、パトカー、救急車、および、消防車からなる群から選択されるいずれか１つであり、
前記傘布には、前記石突の前方に前記乗物の警告灯が配されるように前記乗物の絵柄が施されており、
前記発音装置は、前記乗物のサイレン音に模した音を発生する、請求項３に記載の傘。
【請求項５】
前記把持部は、略球形をなす球形部を含むとともに、
前記球形部には、スイッチ部が備えられており、
前記スイッチ部は、前記石突を上方に配して前記シャフトを鉛直方向に沿う姿勢としたとき、前記球形部の斜め上方を向く表面に配されている、請求項１〜４のいずれか１項に記載の傘。
【請求項６】
前記発音装置は、前記球形部の内部に配されるとともに、前記球形部の表面にはスピーカ孔が備えられており、
前記スピーカ孔は、前記シャフトを軸として、前記スイッチ部に対して前記シャフトの軸周りに略９０度をなす位置に備えられている、請求項５に記載の傘。
【考案の詳細な説明】
【技術分野】
【０００１】
ここに開示される技術は、傘に関する。
【背景技術】
【０００２】
従来、雨天時に雨を遮るために使用される雨傘や、晴天時に直射日光を遮るために使用される日傘が知られている。雨天時には水溜まりなどが発生し、雨傘をさして歩いて出かけることが憚られることがある。また、晴天時であっても、気温上昇によって体力を消耗したり不快感を覚えたりして、日傘をさして歩いて出かけることが憚られることがある。この傾向は、例えば、環境に併せて感情が変わりやすく、腕力に劣る子供において、顕著となり得る。
【先行技術文献】
【特許文献】
【０００３】
【特許文献１】登録実用新案公報第３０４６６７１号
【考案の概要】
【考案が解決しようとする課題】
【０００４】
そこで、傘をさして出かけることのモチベーションを高めてくれる傘があれば好適である。例えば、特許文献１には、ヒモ状照明部が配された装飾傘が開示されている。しかしながら、光装飾が施された傘には改善の余地があった。
【０００５】
ここに開示される技術は、上記のような事情に基づいて完成されたものであって、傘をさして出かけることのモチベーションを高めてくれる傘を提供することを目的とする。
【課題を解決するための手段】
【０００６】
ここに開示される技術は、張設状態においてドーム形状をなす傘布と、長尺の中空棒状をなし、一端において前記傘布の中心を支持するとともに、他端に把持部を備えるシャフトと、前記シャフトに対して前記傘布が前記張設状態と収納状態とになるように前記傘布を支持する傘骨と、を備えている。前記シャフトは、その先端部において、光を発することが可能な発光装置を含む石突を備え、前記把持部は、所定の音を発することが可能な発音装置を備えている。
【０００７】
上記構成によると、傘から光と音とを発生させることができ、傘をさして歩くときの気分が盛り上げられる。これにより、雨天時や晴天時に億劫になりがちな傘をさしての外出に対し、モチベーションを高めることができる。
【０００８】
ここに開示される傘の好適な一態様において、前記把持部には、スイッチ部が備えられており、前記スイッチ部を押下することで、前記発光装置が発光するとともに、前記発音装置が発音し、前記スイッチ部を再び押下することで、前記発光装置が発光を停止するとともに、前記発音装置が発音を停止する構成を備えている。上記構成によると、傘から発せられる光と音とが連動するため、一度の操作で簡便にオンオフ（ＯＮ／ＯＦＦ）の切り替えが可能とされる。このことは、雨天時に、例えば、傘と荷物を持つことにより手が塞がれやすい状況において、発光装置と発音装置とを容易に操作できる点において好適である。特に手指の力や腕力が弱く、両手で傘を持つことのある子供やお年寄り等において有利な構成となる。
【０００９】
ここに開示される傘の好適な一態様において、前記傘布には、乗物および動物から選択されるいずれか１つの絵柄が施され、前記発光装置は、選択された前記乗物または前記動物が発する光に模した光を発することができる構成を備え、前記発音装置は、選択された前記乗物または前記動物が発する音に模した音を発生することができる構成を備えている。上記構成によると、傘布に施された絵柄と、傘から発せられる光と音とが関連付けられており、傘を使用する際の気分がより一層盛り上げられる。とりわけ、これらの絵柄，音，光の組み合わせが、子供の興味を引く乗物や動物であると、その効果がより一層顕著となり得るために好ましい。
【００１０】
ここに開示される傘の好適な一態様において、前記乗物は、パトカー（パトロールカーの俗称であり、警ら車等とも言う。）、救急車、および、消防車からなる群から選択されるいずれか１つであり、前記傘布には、前記石突の前方に前記乗物の警告灯が配されるように前記乗物の絵柄が施されており、前記発音装置は、前記乗物のサイレン音を模した音を発生する。上記構成によると、傘布に施された絵柄，音，光の組み合わせが、子供等に人気のあるパトカー、救急車、および、消防車であるため、子供がこの傘を使用するときの気分を大きく盛り上げることができる。これにより、雨天時や晴天時の傘をさしての外出に対するモチベーションをより一層高めることができる。
【００１１】
ここに開示される傘の好適な一態様において、前記把持部は、略球形をなす球形部を含むとともに、前記球形部には、スイッチ部が備えられており、前記スイッチ部は、前記石突を上方に配して前記シャフトを鉛直方向に沿う姿勢としたとき、前記球形部の斜め上方を向く表面に配されている。上記構成によると、ユーザが傘をさそうとして、シャフト周りに親指と人差し指を配して球形部を握ると、スイッチ部が自然とユーザの手指に触れることとなる。換言すれば、スイッチ部は、傘を持つ手によって操作しやすい位置に配され、例えば目視することなく指先で触れるだけでスイッチの位置を容易に把握することができる。これにより、例えば、目線を正面から把持部に移動させることなく、スイッチ操作を行うことができる。さらには、スイッチ操作に伴い視線を移動する必要がなく、安全面においても有利な傘が実現される。
【００１２】
ここに開示される傘の好適な一態様において、前記発音装置は、前記球形部の内部に配されるとともに、前記球形部の表面にはスピーカ孔が備えられており、前記スピーカ孔は、前記シャフトを軸として、前記スイッチ部に対して前記シャフト軸周りに略９０度をなす位置に備えられている。上記構成によると、例えばユーザがが傘をさそうとして球形部を把持し、スイッチ部に親指を重ねたとき、スピーカ孔は、左右のいずれかの手のひらで覆うことや、覆わないことが、容易に選択できる位置に配されることとなる。これにより、発音装置から発生される音をより大きく周囲に伝えたい場合は、スピーカ孔を手のひらで覆わず、発音装置から発生される音を大きな音では周囲に伝えたくない場合に、スピーカ孔を手のひらで覆うことができる。これにより、ユーザは、スイッチ部を操作しながら、スピーカ孔から発せられる音量を、迅速かつ容易に調整することが可能となる。
【考案の効果】
【００１３】
ここに開示される技術によれば、傘をさして出かけることのモチベーションを高めてくれる傘が提供される。
【図面の簡単な説明】
【００１４】
【図１】実施形態１に係る傘の正面図
【図２】実施形態１に係る傘の背面図
【図３】実施形態１に係る傘の側面図
【図４】実施形態１に係る傘の平面図
【図５】実施形態１に係る傘の傘骨を説明する断面概略図
【図６】実施形態１に係る傘の把持部の側面図
【図７】実施形態１に係る傘の把持部の背面図
【図８】実施形態２に係る傘の正面図
【図９】実施形態２に係る傘の背面図
【図１０】実施形態２に係る傘の側面図
【図１１】実施形態２に係る傘の平面図
【図１２】実施形態３に係る傘の正面図
【図１３】実施形態３に係る傘の背面図
【図１４】実施形態３に係る傘の側面図
【図１５】実施形態３に係る傘の平面図
【考案を実施するための形態】
【００１５】
≪実施形態１≫
実施施形態１に係る傘を図１〜７を参照しつつ説明する。なお、各図に示した符号Ｆ，Ｒｒ，Ｌ，Ｒ，Ｕ，Ｄはそれぞれ、図１における傘１について、紙面に対して手前側を前方とした時の前、奥側を後方としたときの後、前方（正面）から見たときの左，右、鉛直方向（上下方向）における上，下を示している。ただし、上記方向は便宜的に定めたものに過ぎず、限定的に解釈すべきものではない。
【００１６】
本実施形態の傘１は、例えば図１および図５に示すように、大まかには、傘布１０と、シャフト２０と、傘骨４０と、から構成されている。
【００１７】
傘布１０は、例えば図４に示すように、平面視で略二等辺三角形状の複数の布帛（小間１２）がその斜辺同士で接合されて、略円形状をなしており、張設状態においてドーム形状（図１参照）をなすように構成されている。そして傘布１０は、この張設状態において、シャフト２０や傘骨４０、傘をさすユーザに降りかかる雨や日差し等を遮り、弛緩された収納状態において嵩が小さく畳まれるようになっている。傘布１０は、略円形の中心部分において、複数の小間の頂点部分が閉じられずに丸く開口されている。なお、傘布１０を構成する材料は柔軟性を有するシート状のものであれば特に制限されず、例えば、綿や麻等の天然布帛や、ポリエチレンやポリプロピレン等のポリオレフィン，ポリエステル，ナイロン，ＴＣ（いわゆるポリコットンと呼ばれる混紡）等の合成樹脂布帛等が挙げられる。
【００１８】
シャフト２０は、長尺の中空棒状をなし、図５に示すように、傘の中心に配される部材であって、ステンレスやアルミニウム合金、カーボン等の高強度な材料によって構成されている。シャフト２０の一方の端部（ここでは、上端）には石突２２が備えられ、他方の端部（ここでは、下端）には把持部３０が備えられている。また、本例のシャフト２０には、長手方向において把持部３０よりもやや中央側（ここでは上方）に、後述する下ろくろ４６Ｂを係止する下ハジキ２８が備えられている。下ハジキ２８は、シャフト２０の内部に装着され、図示しない板バネによってシャフト２０に刻まれた長孔から外部に突出されており、板バネの弾性力に抗して押圧することでシャフト２０内に挿入されるようになっている。このようなシャフト２０に、環状のろくろ４６Ａ，４６Ｂを介して傘骨４０が取り付けられることで、傘１の骨格が構築される。
【００１９】
傘骨４０は、複数（ここでは８本）の長尺の棒状をなす親骨４２と、親骨４２より短い複数（ここでは８本）の長尺の棒状をなす受骨４４とを、備えている。傘骨４０は、ステンレスやアルミニウム合金、カーボン、合成樹脂等により構成されている。各々の受骨４４は、各々の親骨４２の長手方向の中央付近において、受骨４４の一端を関節軸（ダボ）として、受骨４４および親骨４２を含む一つの面内で回動（枢動）可能に接続されている。そしてこのように接続された親骨４２および受骨４４は、親骨４２の一端が上ろくろ４６Ａにおいて放射状に束ねられるとともに、受骨４４の他端が下ろくろ４６Ｂにおいて放射状に束ねられ、上ろくろ４６Ａが相対的に下ろくろ４６Ｂよりも上方に配されるように、シャフト２０がこれら上下のろくろ４６Ａ，４６Ｂに挿通されている。
【００２０】
ここで、上ろくろ４６Ａは、図５に示すように、石突２２の下側において石突２２に隣り合う位置においてシャフト２０に固定され、下ろくろ４６Ｂは、シャフト２０を挿通した状態でシャフト２０に沿って上下方向に摺動可能とされている。ここで、下ろくろ４６Ｂは、下ハジキ２８よりも下方に移動されることで、下ハジキ２８をシャフト２０内に挿入した状態で下ハジキ２８を乗り越え、その後にばね弾性力によってシャフト２０外に突出される下ハジキ２８によって係止される。これにより、傘１は、傘骨４０を閉じた状態を保持できる構成となっている。また、下ろくろ４６Ｂが下ハジキ２８を下方から上方に乗り越えて上ろくろ４６Ａの下方にまで移動されることで、受骨４４が親骨４２を斜め上方に押し上げて傘骨４０が開くとともに、下ろくろ４６Ｂが上ろくろ４６Ａに下方から当接した状態で固定される。これにより、傘１は、傘骨４０を開いた状態を保持できる構成となっている。
【００２１】
傘布１０は、傘布１０の中心の開口が、上ろくろ４６Ａの貫通孔と重なるように固定部材（陣笠）によって上ろくろ４６Ａに固定され、石突２２と上ろくろ４６Ａの間に固定される。また傘布１０は、その全体が傘骨４０を開いたときに傘骨４０およびシャフト２０を覆うように親骨４２に取付けられる。これにより、傘骨４０を開いたときに傘布１０が張設状態となり、傘骨４０を閉じたときに傘布１０が収納状態とされる。なお、本例の傘布１０（小間１２）、傘骨４０および上下のろくろ４６Ａ，４６Ｂは、いわゆる「セミオートろくろ」を構成しており、下ろくろ４６Ｂを、上ろくろ４６Ａよりもやや下方の基準位置に移動させたときに親骨４２が最も大きく撓む構成を備えており、下ろくろ４６Ｂをこの基準位置よりも上方に移動させることで、下ろくろ４６Ｂには、親骨４２の撓みの反力によって上ろくろ４６Ａに向かう力が作用し、自動的に下ろくろ４６Ｂが上ろくろ４６Ａの下端に突き当たるまで移動するようになっている。
【００２２】
石突２２は、図５に示すように、シャフト２０の先端に取付けられる中空のケースキャップ２４と、このケースキャップ２４の内部に収容された発光装置２６とを備える。ケースキャップ２４は、透明または半透明の合成樹脂（例えば、ポリプロピレンや、ＡＢＳ樹脂）によって構成され、内部に収容された発光装置２６が発光したとき、その発光を外部から視認できるようになっている。発光装置２６は、光源２６Ａと、制御部２６Ｂと、を備え、発光装置２６のうちの光源２６Ａがケースキャップ２４内に配され、制御部２６Ｂは後述する把持部３０に配されている。これら光源２６Ａおよび制御部２６Ｂは、中空のシャフト２０内を配策される図示しないリード線を介して、後述する把持部３０に備えられた電池ボックス３４（図６参照）に電気的に接続されており、電池ボックス３４内に装着される電池（電源の一例）から電力を供給できるようになっている。また、発光装置２６は、例えば、光源２６Ａとして発光ダイオード（ＬＥＤ）を含んでいる。本例の光源２６Ａは、例えば、赤色ＬＥＤ、青色ＬＥＤ、および緑色ＬＥＤを備えており、これらのＬＥＤのオンオフと諧調とを制御部２６ＢによってＰＷＭ制御することで、フルカラーの光を任意のタイミングで発光できるようになっている。
【００２３】
把持部３０は、傘の持ち手となる部材であり、図６に示すように、把持部３０の外形をなす把持部本体３１と、発音装置３２と、電池ボックス３４と、スイッチ部３６と、を備えている。本例の把持部本体３１は、シャフト２０の下端部を覆うとともにシャフト２０に接続される軸部３１Ａと、軸部３１Ａよりも大きく拡径された略球形をなす球形部３１Ｂと、を有している。把持部本体３１は、合成樹脂によって中空状に構成されており、軸部３１Ａの上方には、上述のとおりシャフト２０が挿通されるとともに、軸部３１Ａの下方には、電池（電源の一例）を装着と脱着とが可能な電池ボックス３４が備えられている。また、球形部３１Ｂには、発音装置３２が収容されるとともに、スイッチ部３６が備えられている。
【００２４】
発音装置３２は、所定の音を発することが可能な要素である。本例の発音装置３２は、いわゆるメロディＩＣを含み、アラーム音やメロディ音等の旋律のある電子音を発生することができる。この発音装置３２は、例えば球形部３１Ｂの内壁に固定され、図示しないリード線を介して電池ボックス３４に電気的に接続されており、電池ボックス３４内に装着される電池から電力を供給できるようになっている。また、球形部３１Ｂのうち、発音装置３２が固定されている内壁の近傍には、発音装置３２によって発生された電子音を外部に放出するためのスピーカ孔３８が貫通形成されている。本例の把持部３０において、スピーカ孔３８は、球形部３１Ｂの側方（ここでは右方）を向く位置に設けられている。
【００２５】
また、球形部３１Ｂには、発光装置２６および発音装置３２と、電池ボックス３４とを電気的に接続する電気回路（上述のリード線を含む、図示せず）をオンオフすることができるスイッチ部３６が備えられている。本例のスイッチ部３６は、押しボタン式のスイッチであり、スイッチ部３６を押下するごとに電気回路のオン（導通）とオフ（遮断）とを切り替える構成となっている。本例の把持部３０において、スイッチ部３６は、図６および図７に示すように、球形部３１Ｂの斜め後ろ上方を向く位置に設けられている。また、スイッチ部３６は、球面をなす球形部３１Ｂの一部を平坦化した平坦部分において、スイッチ（押下部）が、この平坦部分から突出するかたちで配されている。この平坦部は、例えば、シャフト２０に対して法線方向が上向きで略４５度（典型的には、２０〜７０度、好ましくは４５度）となるように形成されている。このような構成によると、ユーザは、把持部３０を把持する手指をわずかに動かすことでスイッチ部３６の位置を把握することができ、また、親指などの比較的力の強い指によって容易にスイッチ部３６を押下することができる点において好適である。
【００２６】
なお、実施形態１に係る傘布１０は、図４に示すように、８枚の小間１２がその斜辺において縫い合わされることで構成されている。８枚の小間１２を、正面に配される小間１２Ａから時計回りに順に、小間１２Ａ〜１２Ｈと識別すると、小間１２Ｃ，１２Ｇが左右の側方に向けてそれぞれ配され、小間１２Ｅが後方に向けて配され、残りの小間１２Ｂ，１２Ｄ，１２Ｆ，１２Ｈがこれらの間にそれぞれ配されている。そして、後方の小間１２Ｅを除く、小間１２Ａ〜１２Ｄ，１２Ｆ〜１２Ｈには、パトカー（日本国の警察が使用するパトカーであり、乗物の一例）の絵柄が施されている。より詳細には、図１に示すように、正面から視ることができる小間１２Ｂ，１２Ａ，１２Ｈにはパトカーの正面部分（正面視）の絵柄が、図２に示すように、右方から視ることができる小間１２Ｈ，１２Ｇ，１２Ｆにはパトカーの右側面部分（右側面視）の絵柄が、具体的には図示しないが、左方から視ることができる小間１２Ｂ，１２Ｃ，１２Ｄにはパトカーの左側面部分（左側面視）の絵柄が、それぞれ施されている。これにより、傘布１０は、全体としてパトカーの外観を模した意匠を備えるものとされている。また、後方の小間１２Ｅは、図３に示すように、透明の樹脂シートによって構成されている。これにより、ユーザが頭部が隠れる程度に傘を深くさしているときや、ユーザの身長が相対的に低くその頭部が傘に隠れるときなどに、他の人がユーザの頭の向き（視線の向き）や表情等を確認することができ、また、ユーザがこの透明の小間１２Ｅを通じて周囲を視認することができるために安全性が高められる。
【００２７】
また、傘布１０は、図４等に示すように、パトカーの赤色回転灯（警告灯の一例）を模した布片１４を含んでいる。布片１４は、小間１２Ｃおよび小間１２Ｄの接合部から小間１２Ｇおよび小間１２Ｆの接合部に至る部分に取り付けられ、張設状態において起立した姿勢で石突２２を前方から覆うことができるように構成されている。そして、発音装置３２は、パトカーのサイレン音に模した音（以下、単に「サイレン音」という場合がある。）を発するように構成され、また、発光装置２６は、７色に交互に点滅するように構成されている。これにより、スイッチ部３６を押下して発音装置３２および発光装置２６を作動させることで、パトカーの外観を模した傘１において、布片１４の後方において石突２２に備えられた発光装置２６が７色に点灯するとともに、把持部３０からパトカーのサイレン音が発せられ、パトカーが取締り等の状態にある様子を模すことができる。
【００２８】
なお、これに限定されるものではないが、本例の傘布１０に付されたパトカーの絵柄において、各図における塗りつぶし部分には黒色が施され、窓ガラス部分にはグレーが施され、赤色回転灯（布片１４），前面赤色警光灯，ブレーキランプ，小間１２Ｅに施された文字・絵柄等には赤色が施され、ヘッドライト，旭日章には黄色が施され、その他の部分（小間１２Ｅの透明部分を除く）には白色が施されている。しかしながら、パトカーの絵柄は、日本国の警察が使用するパトカーの外観を模したものに限定されず、米国、仏国等の各国の警察が使用るパトカーの外観を模した絵柄であってもよい。
【００２９】
以上のとおり、本実施形態の傘１は、張設状態においてドーム形状をなす傘布１０と、長尺の中空棒状をなし、上端（一端）において傘布１０の中心を支持するとともに、下端（他端）に把持部３０を備えるシャフト２０と、シャフト２０に対して傘布１０が張設状態と収納状態とになるように傘布１０を支持する傘骨４０と、を備えている。そしてシャフト２０は、その先端部において、光を発することが可能な発光装置２６を含む石突２２を備え、把持部３０は、所定の音を発することが可能な発音装置３２を備えている。このような構成によると、傘１から光と音とを発生させることができ、傘をさして歩くときの気分が盛り上げられる。これにより、雨天時や晴天時に億劫になりがちな傘をさしての外出に対し、ユーザのモチベーションを高めることができる。
【００３０】
また、本実施形態の傘１の把持部３０には、スイッチ部３６が備えられており、スイッチ部３６を押下することで、発光装置２６が発光するとともに、発音装置３２が発音し、スイッチ部３６を再び押下することで、発光装置２６が発光を停止するとともに、発音装置３２が発音を停止する構成を備えている。これにより、傘１から発せられる光と音とが連動し、一回の操作で発光装置２６と発音装置３２のＯＮ／ＯＦＦを簡便に切り替えることが可能とされる。このことは、雨天時に、例えば、傘１と荷物を手に持つなどして両手が塞がれやすい状況において、発光装置２６と発音装置３２とを容易に操作できる点において好適である。また、特に腕力が弱く、両手で傘を持つ子供やお年寄り等において有利な構成となる。
【００３１】
また、本実施形態の傘１の傘布１０には、パトカー（乗物の一例）の絵柄が施され、発光装置２６は、このパトカーが発する光に模した光を発することができる構成を備えているとともに、発音装置３２は、パトカーが発する音に模した音を発生することができる構成を備えている。詳細には、傘布１０のうちの布片１４には、石突２２の前方にパトカーの回転赤色警告灯（警告灯の一例）が配されるようにパトカーの絵柄が施されており、発音装置３２は、パトカーのサイレン音に模した音を発生するように構成されている。このような構成においては、傘布１０に施された絵柄と、傘１から発せられる光と音とが関連付けられており、傘１を使用する際の気分がより一層盛り上げられる。とりわけ、パトカーについての絵柄，音，光の組み合わせは、多くの子供の興味を引くものであり、気分を盛り上げる効果がより一層顕著となり得るために好ましい。
【００３２】
また、本実施形態の傘１の把持部３０は、略球形をなす球形部３１Ｂを含むとともに、球形部３１Ｂには、スイッチ部３６が備えられており、スイッチ部３６は、石突２２を上方に配してシャフト２０を鉛直方向に沿う姿勢としたとき、球形部３１Ｂの斜め上方を向く表面に配されている。このような構成によると、ユーザが傘１をさそうとして、シャフト２０周りに親指と人差し指を配して球形部３１Ｂを握ると、スイッチ部３６が自然とユーザの手指に触れることとなる。換言すれば、スイッチ部３６は、傘１を持つ手によって操作しやすい位置に配されることとなり、例えばユーザは、把持部３０を目視することなく指先で触れるだけでスイッチの位置を容易に把握することができる。これにより、例えば、ユーザは、目線を正面から把持部に移動させることなく、スイッチ操作を行うことができる。このことは、スイッチ操作を簡便に行うことができることに加え、前方から視線を外す必要がない点において、安全面で有利な構成となり得る。
【００３３】
また、本実施形態の傘１における発音装置３２は、球形部３１Ｂの内部に配されるとともに、球形部３１Ｂの表面にはスピーカ孔３８が備えられており、スピーカ孔３８は、シャフト２０を軸として、スイッチ部３６に対してシャフト軸周りに略９０度をなす位置（具体的には、右側面）に備えられている。このような構成によると、例えばユーザがが傘１をさそうとして球形部３１Ｂを把持し、スイッチ部３６に親指等を重ねたとき、スピーカ孔３８は、左右のいずれかの手のひらで覆うことや、覆わないことが、容易に選択できる位置に配されることとなる。これにより、発音装置３２から発生される音をより大きく周囲に伝えたい場合は、スピーカ孔を手のひらで覆わず、発音装置３２から発生される音を大きな音では周囲に伝えたくない場合は、スピーカ孔３８を手のひらで覆うことができる。これにより、ユーザは、スイッチ部を操作しながら、スピーカ孔３８から発せられる音量を、例えば周囲の状況等に応じて、迅速かつ容易に調整することが可能となる。
【００３４】
≪実施形態２≫
次に、実施形態２に係る傘１０１について、図８〜図１１を参照しつつ説明する。実施形態２の傘１０１は、傘布１１０に施される絵柄が救急車（乗物の一例）とされ、発音装置（図示せず）から発生される音が、救急車のサイレン音に模した音とされている点において、実施形態１と相違している。それ以外の構成については、実施形態１と同様であってよく、同様の構成、作用および効果についての説明は省略する。
【００３５】
傘布１１０には、図１１に示すように、８枚の小間１２がその斜辺において縫い合わされることで構成されており、図８に示すように、正面から視ることができる小間１２Ｂ，１２Ａ，１２Ｈには救急車の正面部分の絵柄が、図９に示すように、右方から視ることができる小間１２Ｈ，１２Ｇ，１２Ｆには救急車の右側面部分の絵柄が、具体的には図示しないが、左方から視ることができる小間１２Ｂ，１２Ｃ，１２Ｄには救急車の左側面部分の絵柄が、それぞれ施されている。これにより、傘布１１０は、全体として救急車の外観を模した意匠を備えるものとされている。また、後方の小間１２Ｅは、図１０に示すように、透明の樹脂シートによって構成されており、その一部に救急車に係る文字と図形とが施されている。
【００３６】
また、傘布１１０は、救急車の赤色回転灯（警告灯の一例）を模した布片１１４を含んでいる。布片１１４は、図１１等に示すように、小間１２Ｃおよび小間１２Ｄの接合部から小間１２Ｇおよび小間１２Ｆの接合部に至る部分に取り付けられ、張設状態において起立した姿勢で石突２２を前方から覆うことができるように構成されている。そして、発音装置（図示せず）は、救急車のサイレン音を発するように構成されている。これにより、スイッチ部３６を押下して発音装置および発光装置２６を作動させることで、救急車の外観を模した傘１０１において、布片１１４の後方で石突２２に備えられた発光装置が７色に点灯するとともに、把持部３０から救急車のサイレン音が発せられ、救急車が緊急出動する状態にある様子を模すことができる。とりわけ、救急車についての絵柄，音，光の組み合わせは、多くの子供の興味を引くものであり、気分を盛り上げる効果がより一層顕著となり得るために好ましい。
【００３７】
なお、これに限定されるものではないが、本例の傘布１１０に付された救急車の絵柄において、窓ガラス部分，フォッグランプ周縁にはグレーが施され、赤色回転灯（布片１１４），前面赤色警光灯，ブレーキランプ，小間１２の上下方向の中央付近に底辺に平行にひかれたライン、小間１２Ｅに施された文字・絵柄等には赤色が施され、リアウィンカーには黄色が施され、左右の側方に向く小間１２Ｃ，１２Ｇに記された文字「ＡＭＢＵＬＡＮＣＥ」には青色が施され、タイヤ，ラジエーターグリル等には黒色が施され、その他の部分（小間１２Ｅの透明部分を除く）には白色が施されている。しかしながら、救急車の絵柄は、日本国の消防署が使用する救急車の外観を模したものに限定されず、米国、仏国等の各国の消防署が使用する救急車の外観を模した絵柄であってもよい。
【００３８】
≪実施形態３≫
実施形態３に係る傘２０１について、図１２〜図１５を参照しつつ説明する。実施形態３の傘２０１は、傘布２１０に施される絵柄が消防車（乗物の一例）とされ、発音装置（図示せず）から発生される音が、消防車のサイレン音に模した音とされている点において、実施形態１および実施形態２と相違している。それ以外の構成については、実施形態１および実施形態２と同様であってよく、同様の構成、作用および効果についての説明は省略する。
【００３９】
傘布２１０には、図１５に示すように、８枚の小間１２がその斜辺において縫い合わされることで構成されており、図１２に示すように、正面から視ることができる小間１２Ｂ，１２Ａ，１２Ｈには消防車の正面部分の絵柄が、図１３に示すように、右方から視ることができる小間１２Ｈ，１２Ｇ，１２Ｆには消防車の右側面部分の絵柄が、具体的には図示しないが、左方から視ることができる小間１２Ｂ，１２Ｃ，１２Ｄには消防車の左側面部分の絵柄が、それぞれ施されている。これにより、傘布２１０は、全体として消防車の外観を模した意匠を備えるものとされている。また、後方の小間１２Ｅは、図１４に示すように、透明の樹脂シートによって構成されており、その一部に消防車に係る文字と図形とが施されている。
【００４０】
また、傘布２１０は、消防車の赤色回転灯（警告灯の一例）を模した布片２１４を含んでいる。布片２１４は、図１５等に示すように、小間１２Ｃおよび小間１２Ｄの接合部から小間１２Ｇおよび小間１２Ｆの接合部に至る部分に取り付けられ、張設状態において起立した姿勢で石突２２を前方から覆うことができるように構成されている。そして、発音装置（図示せず）は、消防車のサイレン音を発するように構成されている。これにより、スイッチ部３６を押下して発音装置および発光装置２６を作動させることで、消防車の外観を模した傘２０１において、布片２１４の後方で石突２２に備えられた発光装置が７色に点灯するとともに、把持部３０から消防車のサイレン音が発せられ、消防車が緊急出動する状態にある様子を模すことができる。とりわけ、消防車についての絵柄，音，光の組み合わせは、多くの子供の興味を引くものであり、気分を盛り上げる効果がより一層顕著となり得るために好ましい。
【００４１】
なお、これに限定されるものではないが、本例の傘布２１０に付された消防車の絵柄において、窓ガラス部分，梯子，スコップ，計器類，放水口等にはグレーが施され、タイヤ，ラジエーターグリル等には黒色が施され、消防章，ヘッドライト，リアウィンカー等には黄色が施され、消火ホース，ホイールキャップ，ドアハンドル等には白色が施され、その他（小間１２Ｅの透明部分を除く）の、赤色回転灯（布片１１４），前面赤色警光灯，ブレーキランプ，ボディ，小間１２Ｅに施された文字・絵柄等には赤色が施されている。しかしながら、消防車の絵柄は、日本国の消防署が使用する消防車の外観を模したものに限定されず、米国、仏国等の各国の消防署が使用する消防車の外観を模した絵柄であってもよい。
【００４２】
＜他の実施形態＞
ここに開示される技術は、上記の実施形態に開示されたものに限定されるものではなく、例えば、以下の態様もここに開示される技術範囲に含まれる。また、ここに開示される技術は、その本質から逸脱しない範囲において種々変更された態様で実施することができる。
【００４３】
（１）上記実施形態では、下ろくろはシャフトに対して摺動する構成を備えていたが、下ろくろは、シャフトに設けられた上ハジキと下ハジキとの間に緩嵌されていてもよい。また、ろくろは、下ろくろに備えられたボタンを押下することで自動的に傘を張設状態に開く「オートろくろ」であってもよい。
（２）上記実施形態では、発光装置は、発音装置による発音に合わせて光源を点滅させていたが、発光装置は、発音装置が発する音のリズムに対し、光源の点滅のタイミング、長さ、および間隔等が一致するよう制御されていてもよい。
（３）上記実施形態では、把持部が略球形をなしていたが、把持部は略円弧状に湾曲された形状をなしていてもよい。
（４）上記実施形態では、傘布に施される絵柄が乗物であり、乗物として、パトカー，救急車，および消防車を採用した場合について例示したが、乗物はこれらのものに限定されず、例えば、乗用車、バス、機関車、飛行機、ヘリコプター、ＵＦＯ、船舶等の各種の乗物であってよい。また、傘布に施される絵柄は乗物に限定されず、実在する動物および空想上の動物などの各種の動物、ロボット、マスコット等であってよい。
（５）上記実施形態では、スイッチ部は、前記傘布に施された絵柄の正面となる側とは反対側の背面側に備えられていたが、スイッチ部は、傘布に施された絵柄の向きとは関係なく、シャフト周りの任意の角度に備えられていてもよい。また、スイッチ部とスピーカ孔との相対的な配置についても、上記実施形態に限定されることなく、任意の構成とすることができる。
【符号の説明】
【００４４】
１，１０１，２０１…傘、１０，１１０，２１０…傘布、２０…シャフト、２２…石突、２６…発光装置、３０…把持部、３２…発音装置、３６…スイッチ部、３８…スピーカ孔、４０…傘骨
【図１】
0003229325.tif 000003
【図２】
0003229325.tif 000004
【図３】
0003229325.tif 000005
【図４】
0003229325.tif 000006
【図５】
0003229325.tif 000007
【図６】
0003229325.tif 000008
【図７】
0003229325.tif 000009
【図８】
0003229325.tif 000010
【図９】
0003229325.tif 000011
【図１０】
0003229325.tif 000012
【図１１】
0003229325.tif 000013
【図１２】
0003229325.tif 000014
【図１３】
0003229325.tif 000015
【図１４】
0003229325.tif 000016
【図１５】
0003229325.tif 000017